(57)【要約】【課題】ＣＴや電流センサ等の電流測定手段を組み込んだ分岐ブレーカを複数搭載した分電盤において、複数の分岐ブレーカから引き出された検出信号線を、分電盤内で整然と簡易に配線することができる技術を提供すること。【解決手段】分電盤内には、分岐ブレーカが取付けられる機器取付板３を備え、各分岐ブレーカ内の電流測定手段で検出された検出信号を外部に送信する検出信号線８を、分岐ブレーカ５から引出した後、該機器取付板３の下部に形成される閉鎖空間１１内に収納した。【選択図】図３
2014100023.tif 000002
【特許請求の範囲】
【請求項１】
電流測定手段を組み込んだ分岐ブレーカを複数搭載した分電盤であって、
分電盤内には、分岐ブレーカが取付けられる機器取付板を備え、
各分岐ブレーカ内の電流測定手段で検出された検出信号を外部に送信する検出信号線を、分岐ブレーカから引出した後、該機器取付板の下部に形成される閉鎖空間内に収納したことを特徴とする分電盤。
【請求項２】
該検出信号線を、該閉鎖空間内に導く配線規制部を有することを特徴とする請求項１記載の分電盤。
【請求項３】
該閉鎖空間の側面に、側面閉塞部を形成し、該側面閉塞部によって該閉鎖空間と隔てた空間を負荷電線配線空間としたことを特徴とする請求項１または２記載の分電盤。
【発明の詳細な説明】
【技術分野】
【０００１】
本発明は、変流器や電流センサ等の電流測定手段を組み込んだ分岐ブレーカを複数搭載した分電盤に関するものである。
【背景技術】
【０００２】
特許文献１には、分岐ブレーカに設けられた電流計測手段である各変流器の検出信号線を、分岐ブレーカの負荷側に設けたコネクタから出線して、分岐ブレーカの負荷側の近傍を通って盤内の電流計測ユニットまで配線した構造が開示されている。
【０００３】
各変流器で検出された検出信号は、検出信号線によって、分電盤内に配置された電流計測ユニットに送信されるため、分電盤内には、複数の分岐ブレーカから引き出され、電流計測ユニットまで配線される複数の検出信号線が存在することになる。
【０００４】
しかし、特許文献１のように、分岐ブレーカに設けられた電流計測手段の検出信号線を分岐ブレーカの負荷側の近傍を通って盤内の電流計測ユニットまで配線する構造では、分岐ブレーカに接続された負荷電線と電流計測手段の検出信号線とが混ざって配線の作業性が悪く、美観も優れないという問題があった。
【先行技術文献】
【特許文献】
【０００５】
【特許文献１】特開２００８-２８９３０１号公報
【発明の概要】
【発明が解決しようとする課題】
【０００６】
本発明の目的は前記の問題を解決し、ＣＴや電流センサ等の電流測定手段を組み込んだ分岐ブレーカを複数搭載した分電盤において、電流測定手段で検出された検出信号を外部に送信する検出信号線を、分電盤内で整然と簡易に配線することができる技術を提供することである。
【課題を解決するための手段】
【０００７】
上記課題を解決するためになされた本発明の分電盤は、電流測定手段を組み込んだ分岐ブレーカを複数搭載した分電盤であって、分電盤内には、分岐ブレーカが取付けられる機器取付板を備え、各分岐ブレーカ内の電流測定手段で検出された検出信号を外部に送信する検出信号線を、分岐ブレーカから引出した後、該機器取付板の下部に形成される閉鎖空間に収納したことを特徴とするものである。
【０００８】
請求項２記載の発明は、請求項１記載の分電盤において、該検出信号線を、該閉鎖空間内に導く配線規制部を有することを特徴とするものである。
【０００９】
請求項３記載の発明は、請求項１または２記載の分電盤において、該閉鎖空間の側面に、側面閉塞部を形成し、該側面閉塞部によって該閉鎖空間と隔てた空間を負荷電線配線空間としたことを特徴とするものである。
【発明の効果】
【００１０】
本発明に係る分電盤は、分岐ブレーカが取付けられる機器取付板を備え、各分岐ブレーカ内の電流測定手段で検出された検出信号を外部に送信する検出信号線を、分岐ブレーカから引出した後、該機器取付板の下部に形成される閉鎖空間に収納することにより、分電盤内で整然と簡易に配線することができる。
【００１１】
配線規制部を有する請求項２記載の発明によれば、検出信号線を、該閉鎖空間内に導くことができ、側面閉塞部を形成する請求項３記載の発明によれば、検出信号線用の配線収納空間と負荷電線用の配線空間とを、的確に区画することができる。
【図面の簡単な説明】
【００１２】
【図１】電盤の内部を示す正面図である。
【図２】要部断面図である。
【図３】要部斜視図である。
【図４】他の実施形態における要部斜視図である。
【図５】他の実施形態における要部斜視図である。
【発明を実施するための形態】
【００１３】
以下に図面を参照しつつ、本発明の好ましい実施形態を示す。この実施形態の分電盤は、中央に３極の主幹バー６を備え、分岐ブレーカ５の電源側端子部７をプラグイン接続するタイプのものである。
【００１４】
図１は実施形態の分電盤の内部を示す正面図、図２は要部断面図である。これらの図において、１は合成樹脂製の本体ベースで、この本体ベース１上には、主幹ブレーカ４やその他の内部機器が装着される主幹ブレーカ取付基板２と、多数の分岐ブレーカ５やその他の内部機器が装着される機器取付板が取り付けられている。
【００１５】
本体ベース１には配線用の孔部９が設けられ、孔部９の上方に分岐ブレーカ５の負荷側付近が位置するように配置されている。
【００１６】
機器取付板３の先端は孔部９の上方に位置しており、本実施形態では、この機器取付板３の先端に、側面閉塞部である塞板１０を取り付けている。塞板１０は、図２に示すように、下端部を内側に向けて折り曲げて折り曲げ辺１４を形成し、強度向上を図っている。
【００１７】
この塞板１０により、孔部９の上方空間を二分し、機器取付板３の下方に、機器取付板３と塞板１０と本体ベース１で囲まれた閉鎖空間１１と、負荷電線配線空間１２を形成している。この塞板１０によって、本体ベース１の外側から孔部９を通して負荷電線を配線する際に、誤って負荷電線が閉鎖空間１１に入り込むのを防止することができる。
【００１８】
主幹ブレーカ４の側部に上下２列に配置した分岐ブレーカ５の内部には、ＣＴや電流センサ等の電流測定手段（図示しない）が組込まれており、分岐ブレーカ５から電流測定手段で検出された検出信号を外部に送信する検出信号線８が引き出されている。
【００１９】
電流測定手段として、ホール素子を基板の略Ｕ字状の腕部に供えたものを用いる場合には、検出信号線８の他に、電流測定手段への電源供給を行う電源線（図示しない）も、分岐ブレーカ５から引き出され、２芯ケーブルが使用されて常に一体に取り扱われる。
【００２０】
分電盤の内部には、主幹ブレーカ４と、多数の分岐ブレーカ５の他に、電流計測ユニット１８が取り付けられており、ここに、分岐ブレーカ５から引き出された検出信号線８が接続される。
【００２１】
本実施形態では、各分岐ブレーカ５から引き出された検出信号線８を、分岐ブレーカ５から引き出した後、閉鎖空間１１内に的確に導く配線規制部として、図３に示すように、塞板１０の上部には、下側開口部より上側開口部が幅広であり、上側が大きい逆凸状に形成されたスリット１５を形成している。
【００２２】
検出信号線８は、スリット１５から閉鎖空間１１内に引き込まれ、閉鎖空間１１内で纏められた後、閉鎖空間１１から電流計測ユニット１８に配線されている。また、電流計測ユニットからの検出信号線８には各々の接続コネクタ１３が設けられ、この接続コネクタ１３をスリット１５の上側開口部２０から挿通させて各々の分岐ブレーカ５からの検出信号線８の接続コネクタ１３に接続した後、接続コネクタ部分をスリット１５の下側開口部２１に係合させて固定するものである。分岐ブレーカのない空きスペースや、電流検出機能のない分岐ブレーカに交換するときなど、接続コネクタを使用しないときには、図５のようにスリット１５の下側開口部２１に係合するようにしておけば、見栄えもよく、配線作業も容易なものである。また、スリット１５付近に接続コネクタ１３が位置しない場合や接続コネクタがない場合には、下側開口部２１をさらに幅狭のものとして、検出信号線８を直接係止するようにしてもよい。なお、スリット１５は機器取付板３の端部の設けたものでもよい。
【００２３】
塞板１０は、図３、４に示すように、だるま孔１６によって、機器取付板３と着脱自在に取り付けられており、検出信号線８の上記配線作業の後に取り付けてもよいし、手前方向にスライドして作業スペースを確保しながら配線作業を行うこともできる。
【００２４】
この他にも、配線作業の作業性の観点からは、あらかじめ電流計測ユニット１８から複数本の配線ごとに接続コネクタを延長させ機器取付板の適宜複数箇所に配置し、塞板１０を取り外すことなく、手前方向にスライドして作業スペースを確保した状態で、各接続コネクタ１３を接続するのみで配線接続が完了するようにしてもよい。また、このように、接続コネクタを用いる場合、分岐ブレーカの取替えに際にも、接続コネクタの箇所で検出信号線８との接続を解除することができるため、検出信号線８を直接電流計測ユニット１８に接続するものに比べて、検出信号線８をたどる距離が少なくて済み、作業性の向上を図ることができる。
【００２５】
上記実施形態では、塞板１０の上部にスリット１５を形成していたが、他の実施形態として図５に示すように、塞板１０の下部に下部スリット１７を形成し、その先端に略Ｕ字状の配線係合部１９を設け、この配線係合部１９から検出信号線８を閉鎖空間１１内に引き込む構造とすることもできる。
【００２６】
そのほか、上記実施形態では、塞板１０を、機器取付板３と着脱自在に取り付ける独立部材として説明したが、塞板１０は、機器取付板の先端部に一体に形成したものでよいし、または本体ベースと着脱自在に取り付ける独立部材とすることもできる。
【符号の説明】
【００２７】
１  本体ベース
２  主幹ブレーカ取付基板
３  機器取付板
４  主幹ブレーカ
５  分岐ブレーカ
６  主幹バー
７  電源側端子
８  検出信号線
９  孔部
１０  塞板
１１  閉鎖空間
１２  負荷電線配線空間
１３  接続コネクタ
１４  折り曲げ辺
１５  スリット
１６  だるま孔
１７  下部スリット
１８  電流計測ユニット
１９  配線係合部
２０  上側開口部
２１  下側開口部
【図３】
2014100023.tif 000003
【図４】
2014100023.tif 000004
【図１】
2014100023.tif 000005
【図２】
2014100023.tif 000006
【図５】
2014100023.tif 000007